(57)【要約】【課題】高畝成形管理機の狭幅作業装置において、作業部フレームの補強構造を合理的に行わせる。【解決手段】左右中央に前下がり傾斜で配置されるミッションケース１に耕耘軸２を支持し、該耕耘軸２に耕耘爪２３を配設し、該ミッションケース１に前方に向けて作業機フレーム３５を取り付け、該作業機フレーム３５の左右には前記耕耘爪２３の上方を覆う耕耘カバー３３，３３を前後方向軸芯回りに上下回動自在に連結し、該作業機フレーム３５の前方にはゲージホイル４０を上下調節自在に支持する固定パイプ４２を固着し、該作業機フレーム３５の上面には前記耕耘カバー３３，３３に一端を接続した吊下ロッド３７の他端を固定する支柱部材３８を設け、該支柱部材３８とゲージホイル４０用の前記固定パイプ４２とを連結固定した。【選択図】    図３
2008271856.tif 000002
【特許請求の範囲】
【請求項１】
左右中央に前下がり傾斜で配置されるミッションケース（１）に耕耘軸（２）を支持し、該耕耘軸（２）に耕耘爪（２３）を配設し、該ミッションケース（１）に前方に向けて作業機フレーム（３５）を取り付け、該作業機フレーム（３５）の左右には前記耕耘爪（２３）の上方を覆う耕耘カバー（３３，３３）を前後方向軸芯回りに上下回動自在に連結し、該作業機フレーム（３５）の前方にはゲージホイル（４０）を上下調節自在に支持する固定パイプ（４２）を固着し、該作業機フレーム（３５）の上面には前記耕耘カバー（３３，３３）に一端を接続した吊下ロッド（３７）の他端を固定する支柱部材（３８）を設け、該支柱部材（３８）とゲージホイル（４０）用の前記固定パイプ（４２）とを連結固定したことを特徴とする畝成形管理機。
【発明の詳細な説明】
【技術分野】
【０００１】
本発明は、主にネギの栽培を行う高畝の成形を行う畝成形管理機に関する。
【背景技術】
【０００２】
従来、ネギを植えた畝に土寄せするための長ネギ管理機があり、その構成は、機体にエンジンを搭載し、このエンジンによって前後位置に配置された耕耘ロータと走行輪とを駆動し、ハンドルによって操向可能に設け、上記耕耘ロータには、耕土の飛散位置調節のためのカバーが設け、また、機体前方には機体の姿勢を保持する保持輪が設けられ、保持輪の高さを変えることで耕耘ロータによる作業深さを調節することができる構成としている。さらに機体の左右側方にはフレームを介して畝の上面を押し固める成形板を装着する構成が公知である（特許文献１）。
【特許文献１】特開２００６−２０４２２９号公報
【発明の開示】
【発明が解決しようとする課題】
【０００３】
ところで上記のような長ネギ管理機は畝間作業を行う作業機であるから、幅狭に構成されることとなり、その結果補強構造が必要とされる。前記従来の構成では、耕耘ロータの上面に耕土飛散の案内カバーが装着され、あるいは成形板の支持フレーム等が構成されるが、補強構成については配慮がない。そこで本発明は耕耘ロータの上面の補強構造を合理的に構成しようとするものである。
【課題を解決するための手段】
【０００４】
上記に鑑み、請求項１に記載の発明は、左右中央に前下がり傾斜で配置されるミッションケース１に耕耘軸２を支持し、該耕耘軸２に耕耘爪２３を配設し、該ミッションケース１に前方に向けて作業機フレーム３５を取り付け、該作業機フレーム３５の左右には前記耕耘爪２３の上方を覆う耕耘カバー３３，３３を前後方向軸芯回りに上下回動自在に連結し、該作業機フレーム３５の前方にはゲージホイル４０を上下調節自在に支持する固定パイプ４２を固着し、該作業機フレーム３５の上面には前記耕耘カバー３３，３３に一端を接続した吊下ロッド３７の他端を固定する支柱部材３８を設け、該支柱部材３８とゲージホイル４０用の前記固定パイプ４２とを連結固定したことを特徴とする畝成形管理機の構成とする。
【０００５】
ネギを栽培した畝間に管理機を位置させ耕耘爪２３を回転しながら前進させると、土壌は適宜角度に回動調節された耕耘カバー３３，３３に案内されて側方に跳ね既存の高畝を整形しながら新たに畝成形する。
【発明の効果】
【０００６】
本発明によれば、ミッションケース１から前方に作業機フレーム３５を設け、該作業機フレーム３５には耕耘カバー３３，３３、ゲージホイル４０の支持用固定パイプ４２を装着するため所定の強度が必要となるが、耕耘カバー３３を吊下げ支持するための支柱部材３８と上記固定パイプ４２とを連結一体化することによって作業機フレーム３５を強固に構成できる。
【０００７】
なお、上記の作業機フレーム３５、支柱部材３８、固定パイプ４２を前後方向に沿う平面に配置できて左右に嵩張らないから、左右幅の狭い耕耘装置を構成する畝成形管理機に有利である。
【発明を実施するための最良の形態】
【０００８】
上記技術思想に基づき具体的に構成された実施の形態について以下に図面を参照しつつ本発明に係る畝成形装置について説明する。 
以下、図面に基づいて、この発明の実施例を説明する。図１は畝成形管理機の側面図を示すもので、へ字型のミッションケース１の前側ケース１ａ下部には耕耘軸２を配置し、後側ケース１ｂ下部には車軸３を配置している。
【０００９】
上記ミッションケース１の後側ケース１ｂにはエンジンフレーム４を固定し、このエンジンフレーム４にエンジン５を載置している。また、前記ミッションケース１の頂部に走行変速レバー６用のシフタステー７、耕耘変速レバー８用のシフタステー９等を配設する。
【００１０】
さらに前記ミッションケース１の頂部には、左右一対からなる操縦ハンドル１０の基部を装着するもので、該操縦ハンドルはエンジン４上部の燃料タンク１１、マフラ１２の上方を迂回すべく後方に延長して設けられる。該操縦ハンドル１０の基部をミッションケース１の頂部に装着されたブラケット部材１３に横軸１４を介して軸支してなり、上下調節可能の構成である。即ちこのブラケット部材１３は、コ型断面のカバー部１３ａと、ハンドル角度調節パネル部１３ｂとを溶接一体化して、ミッションケース１の頂部にボルト止めされる構成である。角度調節パネル部１３には上下方向に複数の係止穴を形成して、ハンドルと一体に設ける係止突起１３ｃを着脱できる公知の構成である。
【００１１】
前記エンジン５の駆動力はミッションケース１の後側ケース１ｂ内の伝動機構を経て前記車軸３に伝達され該車軸３に装着された車輪１４，１４を回転駆動する。
一方前記エンジン５の駆動力はミッションケース１の前側ケース１ａ内の伝動機構を経て前記耕耘軸２に伝達される構成である。
【００１２】
耕耘装置２０は、前記耕耘軸２と、この耕耘軸２に装着される耕耘爪群と、その上面を覆う後記耕耘カバーと、後記ゲージホイル等からなり、これら耕耘爪等によって土揚げ手段を構成する。このうち耕耘軸２には、複数の耕耘爪が配置される。即ち、耕耘軸２は前側ケース１ａの下部左右に突出するように設けられ、左右突出軸部に、３種の耕耘爪２３ａ，２３ｂ，２３ｃを配設した耕耘ボス軸２４が嵌合されてピン２５を介して連結される構成である。なお、軸端にはボルト２６を締め付けて座板２７を固定することによってボス軸２４の抜け止めを図っている。
【００１３】
耕耘ボス軸２４にはその軸芯方向の２箇所において、回転方向に１２０°ずつ位相をずらせて耕耘爪ホルダ３０を側面視で合計６個配設している。このホルダ３０のうち外側３個に夫々装着される外側耕耘爪２３ａ，２３ａ，２３ａは、先端を外向きに折曲形成した耕耘爪とされ、また内側３個に夫々装着される内側耕耘爪２３ｂ，２３ｂ，２３ｂは、先端が上記外側耕耘爪２３ａと同形態に形成され、かつ基部側は前側ケース１ａのメタル部を迂回するよう迂回形成された耕耘爪とされ、また内側耕耘爪２３ｂの装着ホルダ３０の間の第７番目のホルダ３０´には先端側が内向きに折曲されたナタ爪２３ｃとされる。
【００１４】
２８は、前部ケース１ａの下端後部側に取り付けた残耕処理刃で、ケース１ａ部から一対の取り付けステー２９，２９で取り付けられている。したがって、左右方向に狂いを生じ難く安定して残耕処理できる。
【００１５】
上記のように構成された耕耘装置２０は、進行方向（イ）に対しアップ回転（ロ）させると、外側耕耘爪２３ａと内側耕耘爪２３ｂの一対を１組として３組に構成され、これら３組が等配の３重螺旋構成となって、従来２組が限度であったが、これに比較して土が細かく均一に側方飛散させることができる。また、等配の構成としたので、作業時振動が少なく、オペレータの作業環境を良好となす。加えて、ナタ爪２３ｃが設けられたので残耕を少なくし溝の仕上がりを良好とすることができる。このため、ネギ等の畝成形のように土を高く揚げる作業において、３重螺旋配置の構成とすることによって硬い耕盤を細かく切り込みでき、爪進入を円滑化しひいては土揚げ作業を良好に実施できる。
【００１６】
耕耘爪２３ａ，２３ｂ，２３ｃの上面は左右の耕耘カバー３３，３３によって覆われる構成である。即ち、前側ケース１ａから前方に突出する状態に、断面コ型の作業機フレーム３５を、その基部の装着部３５ａをもって前部ケース１ａに取り付け装着している。なお作業機フレーム３５と装着部３５ａとは溶接手段によって一体化されている。
【００１７】
上記作業機フレーム３５には左右夫々前後２箇所にヒンジ部３６，３６を設け、前記耕耘カバー３３，３３を前後軸芯回りに上下回動自在に連結される。左右各耕耘カバー３３，３３に夫々設ける吊下ロッド３７，３７の上部側を前記作業機フレーム３５の上面に立設する支柱部材３８に重合させて締付具で共締めして耕耘カバー３３のうち、内側のカバー３３ａを固定する構成である。なお、耕耘カバー３３は、左右方向に拡縮可能に２枚のカバー３３ａ，３３ｂで構成され、長穴構成の伸縮手段で左右に拡縮できる構成となっている。３４は両カバー３３ａ，３３ｂの締付ボルトである。
【００１８】
前記作業機フレーム３５の後端部にはゲージホイル４０の支持パイプ４１を保持する固定パイプ４２を溶接手段によって固着してなる。なおこれら支持パイプ４１及び固定パイプ４２は矩形断面に形成され両者嵌合状態でかつ長手方向に摺動可能に設けられている。さらに、この固定パイプ４２の上端側には前記作業機フレーム３５に立設した支柱部材３８の上端を前側に折り曲げてその端部を溶接手段で固着することによって補強構造を構成している。また、固定パイプ４２の中間部と前部ケース１ａとを連結部材４３で連結することによって補強構造を構成している。
【００１９】
上記のように作業機フレーム３５とゲージホイル４０の固定パイプ４２との組み合わせ構成において、該固定パイプ４２を支柱部材３８及び連結部材４３との組み合わせによって補強する構成であるから、左右幅狭の耕耘部フレーム構成を簡素にして強固に構成できる。
【００２０】
上記ゲージホイル４０の支持パイプ４１の上端には図外雌ネジ体を固着し、上部からスクリュー螺子体４５を羅合し、該スクリュー螺子体４５をハンドル４６の正逆回転によって固定パイプ４２から下方への突出量を調節できる構成である。このゲージホイル４０の上下調節によって耕耘爪による耕耘量を調節できる構成である。
【００２１】
前記ゲージホイル４０の固定パイプ４２の後面には作業機取付プレート４７を溶接手段によって固着し、該作業機取付プレート４７の下部側には後部カバー４８を着脱自在に固定している。作業機取付プレート４７には、例えば畝側面を削り取る片削板（図示せず）を装着できる。４９はこの後部カバー４８の下端に接続するゴムカバー、５０は後部カバー４８の裏面と前記固定パイプ４２とを連結する補強プレートである。
【００２２】
前記左右耕耘カバー３３，３３の夫々外側端にはサイドカバー５１，５１を上下回動自在に前後方向軸５２，５２を介して設けている。この軸５２の支持構成は次の通りである。即ち、該サイドカバー５１の途中２箇所に設けられたブラケット５３，５３（図例では夫々コ字型）に形成した孔部５３ａ，５３ａに、前後端側を適宜耕耘カバー３３の外側端に固定された前後方向軸５２を貫通してなり、このブラケット５３，５３部において、一端を耕耘カバー３３に締付固定された板バネ５４ａ，５４ｂによって前後方向軸５２を上・下面側から押圧すべく構成する。この板バネ５４ａ，５４ｂは、サイドカバー５１を上下に回動調整するとその位置で保持可能になっている。したがって、各別のサイドカバー５１固定手段を必要とせず、その調節作業が極めて容易である。また、下面側から前後方向軸５２を覆う構成となるから、下方側から飛散する土が軸５２部隙間に侵入することを防止できる。
【００２３】
前記操縦ハンドル１０のブラケット１３部の前面に作業機用取付具５５を装着している。該取付具５５としては例えば６角筒体を横向きに取り付けてなり、該筒体に６角軸を左右側から挿通して固定することにより、この６角軸端部には例えば畝片部を押圧する片押し板（図示せず）を装着できる。
【００２４】
なお、ハンドル１０のブラケット１３部に設ける構成としたから、耕耘カバー３３，３３の上方回動調節によっても干渉の恐れがない箇所に設定できる。
ハンドル１０の左右握り部近傍の構成について、図６、７に従い説明する。ハンドル１０の後端の握り部６０にサイドクラッチ（図示せず）の操作レバー６１を支持軸６２回りに上下回動自在に設けている。該支持軸６２は、上下半割り状のブラケット６３Ｕ，６３Ｄのうち、下半ブラケット６３Ｄに構成され、上下ブラケット６３Ｕ，６３Ｄをハンドルフレームを上下からはさみこむ状態で締付ボルト６４，６４によって装着できる構成としている。６５は操作レバー６１を握り部に接近させたサイドクラッチ入り状態で保持できるロック手段の解除レバーで、該解除レバー６５を軽く持ち上げ操作すると操作レバー６１の保持状態を解除してサイドクラッチ切り状態（下方回動状態）に復帰させる構成である。上半ブラケット６３Ｕは、アクセルレバー６７の取り付け台座を兼用している。
【００２５】
上記の操作レバー６１の上下ブラケット６３Ｕ，６３Ｄによる装着にあたり、ハンドルフレーム下面に沿うスペーサ６６を介在してこれら上下ブラケット６３Ｕ，６３Ｄを装着し（図７（Ｃ））、又はスペーサ６６を介在しないでこれら上下ブラケット６３Ｕ，６３Ｄを装着することを選択できる（同図（Ａ）（Ｂ））。
【００２６】
上記スペーサ６６を介在するとき（同図（Ｃ））は、サイドクラッチ入り状態に操作レバー６１操作保持するときは、ハンドル握り部と操作レバー６１との間に隙間（ハ）を形成でき、握り部のみ握って操縦できる。また、スペーサ６６を介在しないときは、ハンドル握り部と操作レバー６１とを同時に握って操作でき、結果として解除レバー６５の操作を適時に行うことができる。このようにオペレータの好みや体格に応じて適切な操縦感覚を得ることができる。なお、スペーサ６６の後部側に凸状６６ａを形成することにより、この凸状６６ａをもって操作レバー６１の上限ストッパに形成できる。
【図面の簡単な説明】
【００２７】
【図１】全体側面図
【図２】耕耘装置の背面図（A）、及び側面図（Ｂ）
【図３】要部の斜視図
【図４】耕耘カバーの背面図（Ａ）、その拡大図（Ｂ）
【図５】ハンドルブラケットの斜視図
【図６】ハンドル握り部の側面図
【図７】レバー操作の作用説明図（Ａ），（Ｂ），（Ｃ）
【符号の説明】
【００２８】
１  ミッションケース
２  耕耘軸
２３  耕耘軸
３３  耕耘カバー
３５  作業機フレーム
３７  吊下ロッド
３８  支柱部材
４０  ゲージホイル
４２  固定パイプ
【図１】
2008271856.tif 000003
【図２】
2008271856.tif 000004
【図３】
2008271856.tif 000005
【図４】
2008271856.tif 000006
【図５】
2008271856.tif 000007
【図６】
2008271856.tif 000008
【図７】
2008271856.tif 000009